(57)【特許請求の範囲】
【請求項１】
基台上に、水平切断刃物装置、台木元苗可動装置及び軸方向切込装置が配設され、穂木を挿入密着するように受け入れて接木苗を形成するための台木を、台木元苗を切断して製造する接木苗用台木製造装置であって、上記水平切断刃物装置は、基台上に立設された支持部材と、該支持部材に対して上下方向に調整可能な水平切断刃物取付板と、該水平切断刃物取付板に取り付けられた水平切断刃物及び第２のガード案内用線材とを備えており、上記台木元苗可動装置は、上記基台上に立設され支持スタンドに前後方向水平に設けられた軌道体と、該軌道体により案内されて前後方向に水平に往復動する前後摺動台と、該前後摺動台で支持され、上方に開口し左右方向に延設された台木元苗の茎部を挿入し載置する茎受け溝を有する茎受け部材及び第１のガード案内用線材とを備え、台木元苗の茎部を茎受け溝に載置し、上記前後摺動台を後方に移動させて、上記台木元苗の茎部を上記水平切断刃物を横切らせて台木元苗の茎部を切断するものであり、上記軸方向切込装置は、上記基台上に起設され支柱に左右方向水平に設けられた軌道体と、該軌道体により案内されて左右方向に水平に往復動する左右摺動台と、該左右摺動台に対して上下方向に調整可能な軸方向切込刃物取付板と、該軸方向切込刃物取付板に取り付けられた軸方向切込刃物とを備え、上記左右摺動台を左方又は右方に移動させて、上記軸方向切込刃物の刃先を上記切断された台木元苗の茎部の切断面に切り込み、穂木を挿入する穂木挿入孔を形成することを特徴とする接木苗用台木製造装置。
【請求項２】
上記支持スタンドに、上記前後摺動台に衝接し、該前後摺動台の後方の移動位置を規制する後端位置決め用規制ボルトが、前後方向に調整自在に設けられていることを特徴とする請求項１記載の接木苗用台木製造装置。
【請求項３】
上記支柱に、上記左右摺動台に衝接し、該左右摺動台の左方又は右方の移動位置を規制する左端又は右端位置決め用規制ボルトが、左右方向に調整自在に設けられていることを特徴とする請求項１又は２記載の接木苗用台木製造装置。
【発明の詳細な説明】
【０００１】
【発明の属する技術分野】
本発明は、野菜生産の接木苗用の台木の製造装置に関する。
【０００２】
【従来の技術】
近年、野菜生産用の接木苗の生産についての自動化についていろいろな研究がなされており、例えば、特開平３ー６１４２９号、特開平２ー１０７１２５号及び特開平４ー１８３３２６号等が紹介されているが、これらは、台木と穂木とを、それぞれ所定位置で切断し、それぞれの切断面を接着して接木苗を製造するものであるが、それぞれ接木接着部の接合部材として、クリップ、接着剤、ゴム管、セラミック棒等が必要であった。
【０００３】
野菜生産用の接木苗の生産について、本発明者は、特公昭５３ー４６７３５号公報記載の発明をしたが、これは、台木に挿入孔を手作業で形成し、この挿入孔に穂木を挿入密着し接合部材を使用することなく接木を行なうものであり、手作業であるため、作業者の個人差により活着率等の品質にバラツキがあるという問題があった。
【０００４】
さらに、本発明は、アクチュエータにより駆動する自動化された接木苗用台木製造装置を発明した（特許第２９７１０５０号、特許第２９７１０５１号参照）。この装置は、接木苗用台木を、十分熟練した作業者の下で大規模に大量生産するような利用環境では適しているが、中小規模の農場等で、比較的台木製造作業に慣れていないパートタイマー等の作業者が使用する場合には、アクチュエータで刃物が自動的に動作することで、従業者に対して操作上、安全性の観点で多少の不安を与えるという面もある。
【０００５】
【発明が解決しようとする課題】
本発明は、上記のような従来の接木苗の製造における諸問題を解決することを目的とするものである。
【０００６】
そして、本発明の具体的な課題は、台木に挿入孔を形成し、この挿入孔に穂木を挿入密着し接合部材を使用することなく接木を行なえるようにするために、台木に穂木を挿入密着して接合するための挿入孔の形成を、作業者が手動駆動であるが、作業は自動的に行なうようにして、作業者により活着率等品質にバラツキのない接木苗を製造することができ、しかもアクチュエータ等の機械駆動操作を排することで、作業者に安全性の観点での不安を払拭し、安全、快適な作業を行うことができる接木苗用台木製造装置を実現することである。
【０００７】
【課題を解決するための手段】
本発明は、上記課題を解決するために、基台上に、水平切断刃物装置、台木元苗可動装置及び軸方向切込装置が配設され、穂木を挿入密着するように受け入れて接木苗を形成するための台木を、台木元苗を切断して製造する接木苗用台木製造装置であって、上記水平切断刃物装置は、基台上に立設された支持部材と、該支持部材に対して上下方向に調整可能な水平切断刃物取付板と、該水平切断刃物取付板に取り付けられた水平切断刃物及び第２のガード案内用線材とを備えており、上記台木元苗可動装置は、上記基台上に立設され支持スタンドに前後方向水平に設けられた軌道体と、該軌道体により案内されて前後方向に水平に往復動する前後摺動台と、該前後摺動台で支持され、上方に開口し左右方向に延設された台木元苗の茎部を挿入し載置する茎受け溝を有する茎受け部材及び第１のガード案内用線材とを備え、台木元苗の茎部を茎受け溝に載置し、上記前後摺動台を後方に移動させて、上記台木元苗の茎部を上記水平切断刃物を横切らせて台木元苗の茎部を切断するものであり、上記軸方向切込装置は、上記基台上に起設され支柱に左右方向水平に設けられた軌道体と、該軌道体により案内されて左右方向に水平に往復動する左右摺動台と、該左右摺動台に対して上下方向に調整可能な軸方向切込刃物取付板と、該軸方向切込刃物取付板に取り付けられた軸方向切込刃物とを備え、上記左右摺動台を左方又は右方に移動させて、上記軸方向切込刃物の刃先を上記切断された台木元苗の茎部の切断面に切り込み、穂木を挿入する穂木挿入孔を形成することを特徴とする接木苗用台木製造装置を提供する。
【０００８】
上記支持スタンドに、上記前後摺動台に衝接し、該前後摺動台の後方の移動位置を規制する後端位置決め用規制ボルトが、前後方向に調整自在に設けられていることを特徴とする。
【０００９】
上記支柱に、上記左右摺動台に衝接し、該左右摺動台の左方又は右方の移動位置を規制する左端又は右端位置決め用規制ボルトが、左右方向に調整自在に設けられていることを特徴とする。
【００１０】
【発明の実施の形態】
本発明の実施の形態を実施例に基づいて図面を参照にして以下説明する。本発明は、茄子、トマト等茄子科の野菜の接木苗の台木の製造を可能とする接木苗用台木製造装置である。
【００１１】
この接木苗用台木製造装置は、図１において、台木を製造するための元苗（以下、「台木元苗」という。）１の茎部を、本葉が３〜４枚展開した頃に、図１（ａ）に示すように、子葉（双葉）の上方で本葉の第１葉下方において腋芽とともに水平に切断してから、図１（ｂ）に示すように、水平切断面から垂直下方に台木元苗１の茎部の軸方向に切り込んで、穂木を挿入することのできるＶ字状の穂木挿入孔を形成する装置である。このように形成された台木元苗の穂木挿入孔に、図１（ｃ）に示すように、穂木が挿入密着され支持されて接木苗用台木が製造される。
【００１２】
図２〜６は、本発明に係る接木苗用台木製造装置の実施例を説明する図である。図２（接木苗用台木製造装置２を正面前方から見た図）及び図３（接木苗用台木製造装置２を上方から見た図）に示すように、接木苗用台木製造装置２は、基台３を有し、この基台３上に、台木元苗可動装置４、水平切断刃物装置５及び軸方向切込装置６が配設されている。
【００１３】
台木元苗可動装置４は、この装置を使用する作業者が台木元苗１の茎部を水平状態で載置して、水平前後方向に移動させる装置である。水平切断刃物装置５は、台木元苗１の茎部を水平（この水平の意味は、茎部が起立した状態ではほぼ水平であり、茎部の芯軸方向に対してはほぼ垂直方向である。）に切断する水平切断刃物７を、その取り付け位置を調整可能として固定する装置である。軸方向切込装置６は、水平に切断された台木元苗１の茎部の切断面に、軸方向の切り込みを入れて穂木挿入孔を形成する装置である。以下、順次これらの各装置を説明する。
【００１４】
（台木元苗可動装置）
まず、台木元苗可動装置４を説明する。図２、３及び図４、５（接木苗用台木製造装置２を左側方から見た図）で示すように、台木元苗可動装置４は、基台３上に立設された前部支持スタンド８と後部支持スタンド９を有する。前部支持スタンド８と後部支持スタンド９との間に、前後方向に延びる水平な左右一対の軌道杆１０（軌道体）が取り付けられている。
【００１５】
この左右一対の軌道杆１０に案内されて前後方向に摺動する前後摺動台１１が設けられている。前後摺動台１１は、左右一対の摺動ベアリング１２を介して左右一対の軌道杆１０が貫通されるように、軌道杆１０に摺動可能に取り付けられている。本実施例では、軌道杆１０及び摺動ベアリング１２の断面は円形であるが、角形等その他の形状でもよい。前部支持スタンド８と前後摺動台１１との間に引っ張りコイルバネ１３が装着されており、前後摺動台１１は常時前方に付勢されている。
【００１６】
後部支持スタンド９の上面には規制ボルト取付片１４が固着され、この規制ボルト取付片１４に後端位置決め用規制ボルト１５が前後方向にその位置を調整自在に螺着されている。この後端位置決め用規制ボルト１５の前端部には緩衝材１６が装着され、前後摺動台１１はこの緩衝材１６に当接することにより、後方への移動位置が規制されて位置決めされる。この位置決めされた位置で、後述するが軸方向切込刃物と茎受け部材２０の案内溝の前後方向の位置が合致するように、位置決め用規制ボルト１５の出没が調整される。
【００１７】
さらに、左側の軌道杆１０の前部支持スタンド８と前後摺動台１１との間には、硬質プラスチック材で形成された前端位置決め用の衝接リング（衝接円柱材）１７が嵌合して取り付けられている。この衝接リング１７は、その軸方向の長さ（厚さ）が異なったものを適宜選択して使用することにより、前後摺動台１１はこの衝接リング１７に当接することにより前方への移動位置が調節して規制される。
【００１８】
前後摺動台１１上には、水平支持板１８を介して垂直支持板１９が固着され立設されている。この垂直支持板１９の上面には、図２〜５及び図６（接木苗用台木製造装置２の要部を右側方から見た図）で示すように、台木元苗１の茎部を受け入れるようにして載置する硬質プラスチック材で形成された茎受け部材２０が固着されている。この茎受け部材２０の上面には左右方向に水平に延びる断面ほぼＶ字状の茎受け溝２１が形成されている。
【００１９】
この茎受け部材２０の後面には垂直片２２が固着されており、この垂直片２２の上面にガード案内用線材２３（第１ガード案内用線材）が取り付けられている。このガード案内用線材２３は、作業者が手で変形可能な程度の硬さを有し、茎受け溝２１のほぼ上方まで延設されており、作業者が後述する水平切断刃物や軸方向切込刃物に触れて指を切ったりしないような防護を行うとともに、切断加工する苗木元苗１を茎受け溝２１内にセットする際の案内等を行う機能を有する。
【００２０】
さらに、茎受け部材２０の左側面には、作業者が前後摺動台１１を摺動できるような操作用の把持片２４が、長孔２５及びボルト２６により上下調整自在に取り付けられている。この把持片２４の後部にはさらに把持用調整片２７が長孔２８及びボルト２９により左右方向に調整自在に取り付けられている。
【００２１】
（水平切断刃物装置）
次に、水平切断刃物装置５を説明する。図２、３に示すように、基台３上にＬ型支持部材３０が、左右方向に長孔３１及びねじ３２、並びに複数位置に形成されたねじ孔３３によってその取付位置が調整自在に立設されている。Ｌ型支持材３０の左側面に支持板３４が固着されている。
【００２２】
さらにこの支持板３４の左側面には垂直方向に延びる案内片３５が固定されている。案内片３５の前後側面には案内溝３６が形成されている。この案内片３５に直動ベアリング３７を介して可動板３８が上下方向に摺動可能に取り付けられている。
【００２３】
図６に示すように、支持板３４の後端部にはコの字型の切り欠き３９が形成されており、このコの字型の切り欠き３９を貫通するように上下方向にねじ杆４０が回転可能に取り付けられている。ねじ杆４０の上端には操作用摘み４１が取り付けられている。
【００２４】
さらに、この操作用摘み４１を回転することにより、コの字型の切り欠き３９の間を上下方向に移動可能な駒片４２がねじ杆４０に螺合して取り付けられている。駒片４２は可動板３８に固定されており、従って、操作摘み４１を操作してねじ杆４０を回転することにより可動板３８が上下方向に移動操作される。
【００２５】
可動板３８の左側面には垂直方向に延びる水平切断刃物取付板４３が固着されている。水平切断刃物取付板４３の左側面には、水平切断刃物７が上下方向に対して斜めに装着されている。
【００２６】
又、図３、６に示すように、水平切断刃物取付板４３の右側面には、ガード案内用線材４４（第２ガード案内用線材）が取付けられている。このガード案内用線材４４は、作業者が手で変形可能な程度の硬さを有し、茎受け部材２０のほぼ右上方に向けて延びて設けられており、作業者が水平切断刃物７に触れて指を切ったりしないようにするとともに、台木元苗可動装置４を後方に移動しながら、水平切断刃物７で台木元苗１を切断してから、切断された茎部の先端を払って除去する等の機能を有する。
【００２７】
（軸方向切込装置）
次に、軸方向切込装置６を説明する。図２に示すように、基台３の後端部に左右一対の支柱４５が立設されている。左右一対の支柱４５の間には水平方向に延びる上下一対の軌道杆４６（軌道体）が取り付けられている。この上下一対の軌道杆４６に案内されて左右方向に摺動する左右摺動台４７が設けられている。
【００２８】
左右摺動台４７は、上下一対の摺動ベアリング４８を介して上下一対の軌道杆４６が貫通されるように、軌道杆４６に摺動可能に取り付けられている。軌道杆４６及び摺動ベアリング４８の断面は円形であるが、角形等その他の形状でもよい。
【００２９】
右部支柱４５と左右摺動台４７との間に引っ張りコイルバネ４９が装着されており、左右摺動台４７は常時右方に付勢されている。左部支柱４５の上端部には左端位置決め用規制ボルト５０が左右方向にその位置を調整自在に螺着されている。この左端位置決め用規制ボルト５０の右端部には緩衝材５１が付設され、左右摺動台４７の上面に固着された衝突片５２が緩衝材５１に当接することにより、左右摺動台４７の左方への移動位置が規制される。
【００３０】
さらに、上側の軌道杆４６の右部支柱４５と左右摺動台４７の間には、硬質プラスチック材で形成された位置決め用の衝接リング（衝接円柱材）５３が軌道杆４６に嵌合して取り付けられている。この衝接リング５３は、その軸方向の長さが適宜異なる寸法のものを選択して設けることにより、左右摺動台４７はこの衝接リング５３に当接することにより右方への移動位置が調節して規制される。
【００３１】
左右摺動台４７の前面に支持板５４が固着されている。この支持板５４の前面には垂直方向に延びる案内片５５が固定されている。案内片５５の左右側面には案内溝５６が形成されている。この案内片５５に直動ベアリング５７を介して可動板５８が上下方向に摺動可能に取り付けられている。可動板５８には軸方向切込刃物取付板５９が固着されている。
【００３２】
支持板５４の左端部にはコの字型の切り欠き６０が形成されており、このコの字型の切り欠き６０を貫通するように上下方向にねじ杆６１が回転可能に取り付けられている。ねじ杆６１の上端には操作用摘み６２が取り付けられている。さらに、この操作用摘み６２を回転することにより、コの字型の切り欠き６０の間を上下方向に移動可能な駒片６３がねじ杆６１に螺合して取り付けられている。
【００３３】
駒片６３は軸方向切込刃物取付板５９に固定されており、従って、操作用摘み６２を回転操作しねじ杆６１を回転することにより、軸方向切込刃物取付板５９及び可動板５８が上下方向に移動操作される。
【００３４】
軸方向切込刃物取付板５９の前面には、左端側に開口した水平方向に延びる刃物装着用の溝（図示せず）が形成されおり、さらに蓋板６４が固着されている。蓋板６４で閉じられた刃物装着用の溝内に、軸方向切込刃物６５を左側から刃先が突出するように挿入し、操作摘み付きの固定ねじ６６で上方から締着することにより軸方向切込刃物６５を、突出状態を調整自在にして固定することが可能である。
【００３５】
（作用）
以上の構成から成る接木苗用台木製造装置２の作用を説明する。作業者は、接木苗用台木製造装置２を使用して台木元苗１の切断加工作業を行うに際して、まず次の▲１▼〜▲３▼の調整を行う。
【００３６】
▲１▼水平切断刃物装置５の操作用摘み４１を回転操作して可動板３８を上下させて、茎受け部材２０の茎受け溝２１に対する水平切断刃物７の上下位置を調整し、茎受け溝２１内に台木元苗１の茎部が水平に載置され、水平切断刃物７を横切らせた場合に、台木元苗１の茎部が切断されるように位置決めする（図２、４、６参照。）。
【００３７】
▲２▼台木元苗可動装置４を後方に移動し、前後摺動台１１が後端位置決め用規制ボルト１５の緩衝材１６に衝接して停止する位置（図５参照）で、茎受け溝２１が軸方向切込刃物６５の刃先と前後方向の位置において合致するように、後端位置決め用規制ボルト１５を前後方向に適宜出没させて調整する。
【００３８】
▲３▼軸方向切込装置６の操作用摘み６２を回転操作して可動板５８を上下させて、茎受け部材２０の茎受け溝２１に対する軸方向切込刃物６５の上下位置を調整し、左右摺動台４７を左方に移動し軸方向切込刃物６５を、茎受け溝２１内に載置された台木元苗１の茎部の切断面に向けて移動すると軸方向に切り込みが入り、穂木用挿入孔が形成されるように位置決めする（図２、５、６参照）。
【００３９】
▲４▼ガード案内用線材２３、４４を適宜曲げるようにしてその位置等を調整し、作業者が水平切断刃物７及び軸方向切込刃物６５で手を切らないような安全状態を確保できるようにセットする。これにより、作業者の操作上の危険などの不安感を払拭できる（図６参照）。
【００４０】
上記調整が完了したら、作業者は、図３、４に示すように、接木苗用台木製造装置２の自然状態の位置（引っ張りコイルバネ１３により台木元苗可動装置４がその前端位置にあり、引っ張りコイルバネ４９により左右摺動台４７が右端位置にある。）の状態にする。
【００４１】
この位置で、作業者は、切断すべき台木元苗１の茎部における子葉の上方であり本葉の第１葉の下方部分を、茎受け部材２０の上面に形成された茎受け溝２１内に載置して水平に保持する。
【００４２】
そして、作業者は、操作用の把持片２４及び把持用の調整片２７を把持して、台木元苗可動装置４を後方に移動し、台木元苗１の茎部を水平切断刃物７を横切らせることにより、その腋芽ともに切断する。これにより、台木元苗１の茎部は、図１（ａ）におけるＸ−Ｘ断面で水平に切断される。
【００４３】
そして作業者は、さらに台木元苗可動装置４を後方に移動し、前後摺動台１１が後端位置決め用規制ボルト１５の緩衝材１６に衝接して停止するまで移動する（図５参照）。前後摺動台１１のこの停止位置で、左右摺動台４７を左方に移動し軸方向切込刃物６５の刃先を、茎受け溝２１内に載置された台木元苗１の茎部の切断面に向けて移動し軸方向に切り込みを入れる。これにより、台木元苗１の茎部の切断面には、図１（ｂ）に示すように、Ｖ字状の穂木の挿入孔が形成される。
【００４４】
以上の作業の結果、最終的に台木元苗の腋芽部分から水平に切断され、さらにその切断表面から穂木を差し込むのに適した、台木の茎部の軸方向にＶ字状の挿入孔が形成された台木が製造される。
【００４５】
以上、本発明に係る接木苗用台木製造装置の実施形態を実施例に基づいて説明したが、本発明は特にこのような実施例に限定されることなく、特許請求の範囲記載の技術的事項の範囲内でいろいろな実施例があることはいうまでもない。
【００４６】
例えば、上記実施例の木用台木製造装置は、基台上の左側に台木元苗可動装置４を設け、軸方向切込装置６の左右摺動台を左方に移動して軸方向切込刃物でこの台木元苗の切断面に軸方向の切り込みを入れて穂木挿入孔を形成する構成としたが、基台上の右側に台木元苗可動装置を設け、軸方向切込装置の左右摺動台を右方に移動して軸方向切込刃物でこの台木元苗の切断面に軸方向の切り込みを入れて穂木挿入孔を形成する構成としてもよい。
【００４７】
このような構成の場合は、左右一対の支柱の右の支柱に、左右摺動台４７に衝接し、左右摺動台４７の右方の移動位置を規制する右端位置決め用規制ボルトが、左右方向に調整自在に設けられている。
【００４８】
【発明の効果】
本発明では、手動駆動であるが、水平切断刃物により台木元苗の茎部を腋芽とともに水平に切断及び軸方向切込刃物による茎部の軸方向にＶ字状の挿入孔を自動的に形成できるので、容易な操作で、作業者により品質にバラツキのない接木苗用の台木の自動製造が可能である。
【００４９】
そして、本発明では、水平切断刃物及び軸方向切込刃物の高さや位置を摘みの操作で簡単に調整できるような構成とし、水平切断刃物及び軸方向切込刃物と台木元苗と相対的な位置を適宜調整できるようにしたので、熟練作業者でなくとも、台木元苗の寸法や形状等に応じて、台木元苗の切断や切り込みに最適な状態で水平切断刃物及び軸方向切込刃物を機能させることができ、特に穂木を挿入支持し最適の接木可能な状態に調整できる。
【００５０】
水平切断刃物及び軸方向切込刃物の駆動を、作業者が自己の意志の下で手動で行えるようにし、さらにガード案内用線材を設けたので、作業者に操作上の危険性や不安感を与えることのなく、安全、快適な作業が可能となる。
【図面の簡単な説明】
【図１】本発明の台木を製造するための台木元苗の切断を説明する図。
【図２】本発明の実施例に係る接木苗用台木製造装置を前方正面から見た図である。
【図３】本発明の実施例に係る接木苗用台木製造装置を上方から見た図である。
【図４】本発明の実施例に係る接木苗用台木製造装置（非操作状態）を左側方から見た図である。
【図５】本発明の実施例に係る接木苗用台木製造装置（操作状態）で左側方から見た図である。
【図６】本発明の実施例に係る接木苗用台木製造装置の要部を右側方から見た図である。
【符号の説明】
１    台木用元苗
２    接木苗用台木製造装置
３    基台
４    台木元苗可動装置
５    水平切断刃物装置
６    軸方向切込装置
７    水平切断刃物
８    前部支持スタンド
９    後部支持スタンド
１０    左右一対の軌道杆
１１    前後摺動台
１２    摺動ベアリング
１３、４９    引っ張りコイルバネ
１４    規制ボルト取付片
１５    後端位置決め用規制ボルト
１６、５１    緩衝材
１７、５３    衝接リング
１８    水平支持板
１９    垂直支持板
２０    茎受け部材
２１    茎受け溝
２２    垂直片
２３、４４    ガード案内用線材
２４    操作用の把持片
２５、３１    長孔
２６    ボルト
２７    把持用調整片
２８    長孔
２９    ボルト
３０    Ｌ型支持部材
３２    ねじ
３３    ねじ孔
３４    支持板
３５、５５    案内片
３６、５６    案内片に形成された案内溝
３７、５７    直動ベアリング
３８、５８    可動板
３９、６０    コの字型の切り欠き
４０、６１    ねじ杆
４１、６２    操作用摘み
４２、６３    駒片
４３    水平切断刃物取付板
４５    左右一対の支柱
４６    上下一対の軌道杆
４７    左右摺動台
４８    上下一対の摺動ベアリング
５０    左端位置決め用規制ボルト
５２    衝突片
５４    支持板
５９    軸方向切込刃物取付板
６０    コの字型の切り欠き
６４    蓋板
６５    軸方向切込刃物
６６    操作摘み付きの固定ねじ
【図１】
0003930326.tif 000002
【図２】
0003930326.tif 000003
【図３】
0003930326.tif 000004
【図４】
0003930326.tif 000005
【図５】
0003930326.tif 000006
【図６】
0003930326.tif 000007